(57)【要約】【課題】  この考案は作業性・安全性・経済性に優れ、且つ、耐候性・美観が良く環境に優しい階段用滑り止めを開発・提供する事にある。【解決手段】  端部に滑り止め部材に適合する溝部を設けた木製階段用床踏み板と、滑り防止用滑り止め部材を一体に組み合わせて成り、且つ、該滑り止め部材は所定幅と所定長さを有し、且つ、表面部に滑り防止用溝部を複数箇所それぞれ設け、裏面左右部に幅調整用の逃がし溝をそれぞれ設け、且つ、滑り止め部材を階段用床踏み板溝部に嵌合し易くする為、滑り止め部材の裏面左右角部に所定角度の面取りをそれぞれ施して設けた事を特徴とするものである。又、滑り止め部材の材質は階段用床踏み板と同様の木製で形成されている事を特徴とするものである。【選択図】  図３
0003145534.tif 000002
【実用新案登録請求の範囲】
【請求項１】
木製階段（ＳＴ）の床踏み板表面端部に設けて滑りを防止する滑り止めにおいて、該滑り止めは端部に滑り止め部材に適合する溝部（２ａ）と滑り止め部材の取り外しを容易にする為の段違い溝（２ｂ）を並設して設けた木製階段用床踏み板（２）と、滑り防止用滑り止め部材（１）を一体に組み合わせて成り、且つ、該滑り止め部材（１）は所定幅（Ｗ）と所定長さ（Ｌ）を有し、且つ、表面部に滑り防止用溝部（１ａ）を複数箇所それぞれ設け、裏面左右部に幅調整用の逃がし溝（１ｂ）（１ｂ）をそれぞれ設け、且つ、滑り止め部材（１）を階段用床踏み板溝部（２ａ）に嵌合し易くする為、滑り止め部材（１）の裏面左右角部に所定角度の面取り（１ｃ）（１ｃ）をそれぞれ施して設けた事を特徴とする階段用滑り止め。
【請求項２】
滑り止め部材（１）の材質は階段用床踏み板（２）と同様の木製で形成されている事を特徴とする請求項１記載の階段用滑り止め。
【考案の詳細な説明】
【技術分野】
【０００１】
この考案は、階段用滑り止めに関するものである。
【背景技術】
【０００２】
従来、軟質の滑り止め材を交換可能にする為に、硬質の基台に軟質の滑り止め材を嵌合固定する事により形成される階段用滑り止めは、適宜切断する事で多様な幅寸法の階段に対して取り付けが出来る様に、滑り止め材を押し出し成形により予め等断面形状の長尺にして量産される。しかしながら、このような製造方法をとる為に、軟質の滑り止め材が経年変化や温度変化、成形時の残留応力等により収縮してしまうと、滑り止め材の形状に合わせて形成された基台との間で長手方向にズレが生じ易く成り、特に、階段用滑り止めの長手方向に踏圧が作用し易い踊り場等のコーナー部付近では、階段の外周側に滑り止め材が押しやられ、階段内周側に滑り止め材のないやや大きなスペースが生じてしまうという問題があった。
【０００３】
そこで、上記問題を解決する為に考案されたのが、特許文献１に記載された摺り止め具である。この摺り止め具は階段の床材に固定板を貫通して打ち込まれる木ネジには突起のある座金が保持され、木ネジによって床材に固定板を固定した後、摺り止め材の固定板からのはみ出しが防止される。
【特許文献１】実開昭６３−０４４９３４号広報
【０００４】
しかしながら、上記従来例の様に基台を階段に固定する為に、散点状に設けられる木ネジの配置箇所によって滑り止め材を拘束しようとすると、滑り止め材に対して突起を深く突き刺すようにしなければならず、この為、使用による滑り止め材の摩擦によって突起先端が表面に露出し、危険であるという欠点があった。特に、近年、階段の段鼻部に凹部を設けずに後付けした場合にあまり表面側に突出しないような配慮がなされた薄い階段用滑り止めでは、滑り止め材の厚みが薄い為に表面に露出しないようにすることが困難である。
【０００５】
この点、例えば上記座金に代えて両面テープや接着材で滑り止め材と基台を接着したり、或いは、滑り止め材を嵌合させた基台を滑り止め材とともに潰して強く圧接させたりして滑り止め材と基台のずれを防止することも不可能ではないが、前者は上記従来例の座金と同様に現場で対応する作業をしなければならない為に、施工に手間が掛かると共に、滑り止め材の交換が不可となってしまい、一方、後者は階段用滑り止めの外観が低下してしまう等の問題が生じる。更に、上記従来例における座金の組み付けのような上述した施工時の作業は、作業ミスを惹起する恐れもある。
【考案の開示】
【考案が解決しようとする課題】
【０００６】
そこで、上記課題を解決する為に、この考案は作業性・安全性・経済性に優れ、且つ、耐候性・美観が良く環境に優しい階段用滑り止めを開発・提供する事にある。
【課題を解決するための手段】
【０００７】
この課題を解決するための手段として、端部に滑り止め部材に適合する溝部と滑り止め部材の取り外しを容易にする為の段違い溝を並設して設けた木製階段用床踏み板と、滑り防止用滑り止め部材を一体に組み合わせて成り、且つ、該滑り止め部材は所定幅と所定長さを有し、且つ、表面部に滑り防止用溝部を複数箇所それぞれ設け、裏面左右部に幅調整用の逃がし溝をそれぞれ設け、且つ、滑り止め部材を階段用床踏み板溝部に嵌合し易くする為、滑り止め部材の裏面左右角部に所定角度の面取りをそれぞれ施して設けた事を特徴とするものである。又、滑り止め部材の材質は階段用床踏み板と同様の木製で形成されている事を特徴とするものである。
【考案の効果】
【０００８】
この考案の効果として、端部に滑り止め部材に適合する溝部と滑り止め部材の取り外しを容易にする為の段違い溝を並設して設けた木製階段用床踏み板と、滑り防止用滑り止め部材を一体に組み合わせて成り、且つ、該滑り止め部材は所定幅と所定長さを有し、且つ、表面部に滑り防止用溝部を複数箇所それぞれ設け、裏面左右部に幅調整用の逃がし溝をそれぞれ設け、且つ、滑り止め部材を階段用床踏み板溝部に嵌合し易くする為、滑り止め部材の裏面左右角部に所定角度の面取りをそれぞれ施して設け、又、材質が階段用床踏み板と同様の木製で形成されている為、誰もが容易に作業出来る為、作業性が良く、コスト的にも安価に製造出来、且つ、安全で環境に優しく、美観が良い等、極めて有益なる効果を奏するものである。
【考案を実施するための最良の形態】
【０００９】
この考案の最良の形態として、滑り止め部材の材質は温度や湿度等、環境の変化に順応出来る様にする為、階段の床踏み板と同質の物を使用する事が望ましい。又、滑り止め部材の寸法形状（板厚・幅・長さ）も階段の床踏み板の寸法に適合する最適寸法に設定することが重要である。
【実施例１】
【００１０】
そこで、この考案の一実施例を図１〜図２に基づいて詳述すると、木製階段（ＳＴ）の床表面端部に設けて滑りを防止する滑り止めにおいて、該滑り止めは端部に滑り止め部材に適合する溝部（２ａ）と滑り止め部材の取り外しを容易にする為の段違い溝（２ｂ）を並設して設けた木製階段用床踏み板（２）と、滑り防止用滑り止め部材（１）を一体に組み合わせて成り、且つ、該滑り止め部材（１）は所定幅（Ｗ）と所定長さ（Ｌ）を有し、且つ、表面部に滑り防止用溝部（１ａ）を複数箇所それぞれ設け、裏面左右部に幅調整用の逃がし溝（１ｂ）（１ｂ）をそれぞれ設け、且つ、滑り止め部材（１）を階段用床踏み板溝部（２ａ）に嵌合し易くする為、滑り止め部材（１）の裏面左右角部に所定角度の面取り（１ｃ）（１ｃ）をそれぞれ施して設けた事を特徴とする階段用滑り止めから構成される。
【００１１】
又、滑り止め部材（１）の材質は階段用床踏み板（２）と同様の木製で形成されている事を特徴とする階段用滑り止めから構成される。
【００１２】
次に、この考案の詳細について説明すると、図１に示す滑り止め部材（１）は木製で、寸法形状は板厚１０ｍｍ×幅２８ｍｍ×長さは階段の幅寸法に適合する寸法に形成され、且つ、上面には幅３ｍｍ×深さ１ｍｍの滑り防止用溝（１ａ）が４か所等間隔に設けられ、又、下面左右には嵌挿時に幅を調整（収縮）する為の逃し溝（幅３ｍｍ×深さ７．５ｍｍ）が設けられ、更に下面左右角部には７５度程度の面取りが施され、階段用床踏み板（２）の溝部（２ａ）に嵌挿する際、スムーズに挿入出来る様に成っている。
【００１３】
又、相手方の階段用床踏み板（２）の材質は上記滑り止め部材（１）と同様木製で、板厚３５ｍｍ×幅２３８ｍｍ×長さは階段の幅寸法に適合する寸法に形成され、上面端部から１４ｍｍ離れた位置に深さ１０ｍｍ×幅２８ｍｍの溝が設けられ、且つ、該溝の端面側には幅４ｍｍ×深さ０．５ｍｍの段違い溝（２ｂ）を設けて、滑り止め部材（１）を取り外す際に工具の爪部が掛かり易く成っている。
【００１４】
この考案の取り付け要領について説明すると、図３（Ｂ）に示す様に、階段用床踏み板（２）の溝部（２ａ）に滑り止め部材（１）を挿入する際は、溝部（２ａ）に合わせて滑り止め部材（１）を軽く乗せ、滑り止め部材の上面に木製の当て木を置き、木製ハンマーで軽く叩きながら嵌挿する。そして、嵌挿した滑り止め部材は挿入時に収縮変形しながら挿入される為、一度挿入すればバネ力（外向きの力）が作用する為、外れ難い構造に成っている。
【００１５】
従って、一度嵌挿した滑り止め部材（１）を取り外す時は、段違い溝（２ｂ）に抜き取り用の工具の爪部を差し込み梃子の原理を利用して取り外す。
【００１６】
図３（Ａ）はこの考案の使用例を示し、斜視図である。
【産業上の利用可能性】
【００１７】
この考案の階段用滑り止めは、作業性・安全性・経済性に優れ、且つ、耐候性や美観が良く環境に優しい為、多くの建築関係市場に寄与する為、産業上の利用可能性を有する。
【図面の簡単な説明】
【００１８】
【図１】この考案の一実施例を示し、（Ａ）は滑り止め部材の平面図で、（Ｂ）は図１（Ａ）のａ−ａ矢視断面図である。
【図２】この考案の一実施例を示し、（Ａ）は床踏み板の平面図で、（Ｂ）は図２（Ａ）のａ−ａ矢視断面図である。
【図３】この考案の使用例を示し、（Ａ）は斜視図で、（Ｂ）は図３（Ａ）のａ部拡大詳細図である。
【符号の説明】
【００１９】
１  滑り止め部材
１ａ  滑り防止用溝部
１ｂ  逃がし溝
１ｃ  面取り
２  床踏み板
２ａ  溝部
Ｌ  所定長さ
ＳＴ  階段
Ｔ  滑り止め部材の板厚
Ｔ'   床踏み板の溝の深さ
Ｗ  所定幅
Ｗ'   床踏み板の溝の幅寸法
【図１】
0003145534.tif 000003
【図２】
0003145534.tif 000004
【図３】
0003145534.tif 000005